(57)【要約】【課題】ノート型パソコンの駆動部より発生する熱をできるだけ吸収して快適にノート型パソコンを使用することができるノート型パソコン用吸熱具およびその製造方法を提供する。【解決手段】ノート型パソコンｂの底部面ｂ１に対応させて、このノート型パソコンより発生する熱を吸収するノート型パソコン用吸熱具Ａにあって、包装体１と、この包装体１内へ充填して該包装体１により密封包装される吸熱体２とを有し、包装体１は、内部を可視可能となる透過性を有するプラスチックシート部材３と、アルミ箔シート部材４とを重ね合わせ、これらプラスチックシート部材とアルミ箔シート部材との周縁部をヒートシールにより密着させる。【選択図】    図２
2004151943.tif 000002
【特許請求の範囲】
【請求項１】
ノート型パソコンの底部面に対応させて、該ノート型パソコンより発生する熱を吸収するノート型パソコン用吸熱具にあって、
包装体と、この包装体内へ充填して該包装体により密封包装される吸熱体とを有し、
前記包装体は、内部を可視可能となる透過性を有するプラスチックシート部材と、アルミ箔シート部材とを重ね合わせ、これらプラスチックシート部材とアルミ箔シート部材との周縁部をヒートシールにより密着させたことを特徴とするノート型パソコン用吸熱具。
【請求項２】
包装体は、アルミ箔シート部材の内面に表示物を施したことを特徴とする請求項１記載のノート型パソコン用吸熱具。
【請求項３】
吸熱体は、ゲル状に成形した高分子ポリマーであって、着色させたことを特徴とする請求項１記載のノート型パソコン用吸熱具。
【請求項４】
吸熱体は、ゲル状に成形した高分子ポリマーであって、装飾物を混在させたことを特徴とする請求項１記載のノート型パソコン用吸熱具。
【請求項５】
ノート型パソコンの底部面に対応させて、該ノート型パソコンより発生する熱を吸収するノート型パソコン用吸熱具の製造にあって、
包装体と、この包装体内へ充填して該包装体により密封包装される吸熱体とを有するものであり、
前記包装体の一方に開口させた開口部より前記吸熱体の原料である高分子ポリマーの粉末体を充填して、該包装体の底部に位置させ、この包装体内へ前記粉末体をゲル化させるための溶液を充填させ、前記包装体内に存在する空気をのぞき、前記包装体の開口部をヒートシールにより密封包装したことを特徴とするノート型パソコン用吸熱具の製造方法。
【請求項６】
ノート型パソコンの底部面に対応させて、該ノート型パソコンより発生する熱を吸収するノート型パソコン用吸熱具の製造にあって、
包装体と、この包装体内へ充填して該包装体により密封包装される吸熱体とを有するものであり、
前記吸熱体の原料である高分子ポリマーの粉末体と装飾物とを撹拌混合して混合粉末体を得て、前記包装体の一方に開口させた開口部より前記混合粉末体を充填して、該包装体の底部に位置させ、この包装体内へ前記混合粉末体をゲル化させるための溶液を充填させ、前記包装体内に存在する空気をのぞき、前記包装体の開口部をヒートシールにより密封包装したことを特徴とするノート型パソコン用吸熱具の製造方法。
【請求項７】
溶液中に着色剤を注入して撹拌混合させたことを特徴とする請求項５または６記載のノート型パソコン用吸熱具の製造方法。
【発明の詳細な説明】
【０００１】
【産業上の利用分野】
本発明は、ノート型パソコンの駆動部より発生する熱をできるだけ吸収して、快適にノート型パソコンを使用することができるノート型パソコン用吸熱具に関する。
【０００２】
【従来の技術】
従来、ノート型パソコンは、その可搬性や小型化により多くの人に広く利用されているもので、また、パソコンの性能向上により高能力，大容量のものが多く市場に出回っている。
【０００３】
しかしながら、その小型化ゆえに、パソコンの電源部やＣＰＵ，モータ部等から発生する熱を拡散させるための冷却ファンの設置スペースには、パソコン内部には自ずと限界があって、本体内の高温化による性能低下が起こり、前記した本来パソコンが持つ高能力，大容量の有効性を充分に引き出せなものであった。
【０００４】
【発明が解決しようとする課題】
本発明は、前記した問題点を解決するためになされたもので、ノート型パソコンの底部面に対応させて、該ノート型パソコンより発生する熱を吸収するノート型パソコン用吸熱具にあって、包装体と、この包装体内へ充填して該包装体により密封包装される吸熱体とを有し、包装体は、内部を可視可能となる透過性を有するプラスチックシート部材と、アルミ箔シート部材とを重ね合わせ、これらプラスチックシート部材とアルミ箔シート部材との周縁部をヒートシールにより密着させることにより、ノート型パソコンの駆動部より発生する熱をできるだけ吸収して快適にノート型パソコンを使用することができるノート型パソコン用吸熱具およびその製造方法を提供することを目的としている。
【０００５】
【課題を解決するための手段】
前記した目的を達成するための本発明の手段は、
ノート型パソコンの底部面に対応させて、該ノート型パソコンより発生する熱を吸収するノート型パソコン用吸熱具にあって、
包装体と、この包装体内へ充填して該包装体により密封包装される吸熱体とを有し、
前記包装体は、内部を可視可能となる透過性を有するプラスチックシート部材と、アルミ箔シート部材とを重ね合わせ、これらプラスチックシート部材とアルミ箔シート部材との周縁部をヒートシールにより密着させたノート型パソコン用吸熱具の構成にある。
【０００６】
包装体は、アルミ箔シート部材の内面に表示物を施す。
【０００７】
吸熱体は、ゲル状に成形した高分子ポリマーであって、着色させる。
【０００８】
吸熱体は、ゲル状に成形した高分子ポリマーであって、装飾物を混在させる。
【０００９】
そして、
ノート型パソコンの底部面に対応させて、該ノート型パソコンより発生する熱を吸収するノート型パソコン用吸熱具の製造にあって、
包装体と、この包装体内へ充填して該包装体により密封包装される吸熱体とを有するものであり、
前記包装体の一方に開口させた開口部より前記吸熱体の原料である高分子ポリマーの粉末体を充填して、該包装体の底部に位置させ、この包装体内へ前記粉末体をゲル化させるための溶液を充填させ、前記包装体内に存在する空気をのぞき、前記包装体の開口部をヒートシールにより密封包装したノート型パソコン用吸熱具の製造方法にある。
【００１０】
また、
ノート型パソコンの底部面に対応させて、該ノート型パソコンより発生する熱を吸収するノート型パソコン用吸熱具の製造にあって、
包装体と、この包装体内へ充填して該包装体により密封包装される吸熱体とを有するものであり、
前記吸熱体の原料である高分子ポリマーの粉末体と装飾物とを撹拌混合して混合粉末体を得て、前記包装体の一方に開口させた開口部より前記混合粉末体を充填して、該包装体の底部に位置させ、この包装体内へ前記混合粉末体をゲル化させるための溶液を充填させ、前記包装体内に存在する空気をのぞき、前記包装体の開口部をヒートシールにより密封包装したノート型パソコン用吸熱具の製造方法にある。
【００１１】
前記製造方法にあって、溶液中に着色剤を注入して撹拌混合させる。
【００１２】
【実施例】
次に本発明に関するノート型パソコン用吸熱具およびその製造方法の実施の一例を図面に基づいて説明する。
図１〜図８においてＡはノート型パソコン用吸熱具で、ノート型パソコンｂの底部面ｂ１に対応させて、該ノート型パソコンｂより発生する熱を吸収するものであって、その構成は、包装体１と、吸熱体２とを有する。
【００１３】
前記した包装体１は、該包装体１の一側面に設けた内部を可視可能となる透過性を有するプラスチックシート部材３と、このプラスチックシート部材３の他側において包装体１の他側面に設けたアルミ箔シート部材４とからなる。
そして、これらプラスチックシート部材３とアルミ箔シート部材４とを重ね合わせ、これらプラスチックシート部材３とアルミ箔シート部材４との周縁部をヒートシールにより密着させた密封部５を設けてある。
【００１４】
このうち、前記したプラスチックシート部材３は、透明性を有するナイロンやポリエチレン等による単体フィルムあるいは複合フィルムにより所定厚に成形してあって、外気や後記する吸熱体２の透過を防止し得る素材を選定する。
このプラスチックシート部材３がノート型パソコンｂの底部面ｂ１に密着する受熱面となる。
【００１５】
なお、このプラスチックシート部材３は、必ずしもその全面が透明性を有する必要はなく、例えば、図３に示すように、所定面積の窓空き部６を設けてもよいもので、成形にあっては、ナイロンやポリエチレン等のフィルムに、この窓空き部６を設けた、例えば、アルミ箔フィルムを貼着や蒸着させて作成する。
【００１６】
前記したアルミ箔シート部材４は、アルミ箔フィルムを芯材としてポリエチレンテレフタレートフィルムやポリエチレンフィルム，ナイロンフィルムなどを所定厚に積層させて作成する。
このアルミ箔シート部材４がテーブル等の載置面に当接する排熱面となる。
【００１７】
更に、このアルミ箔シート部材４の内面に表示物７を施すこともあるもので、この表示物７は、文字や模様，写真などの適宜なものを印刷や貼着，ラミネート等の慣用の手段により設ける。
この表示物７は、後記する吸熱体２を介して、可視可能なプラスチックシート部材３の外面から可視し得るものである。
【００１８】
そして、これらプラスチックシート部材３とアルミ箔シート部材４との周縁部にヒートシールによる密封部５を設けて製袋し、例えば、三方袋を形成するものであって、その一方周縁部に開口（未ヒートシール部）を有する開口部８を設けてある。
【００１９】
前記した吸熱体２は、包装体１内へ充填して該包装体１により密封包装されるもので、ノート型パソコンｂより発生する熱を吸収するものであり、外部から可視し得る透過性を有することで、アルミ箔シート部材４の内面に施した表示物７や後記する装飾物１２を可視することができる。
【００２０】
この吸熱体２は、ゲル状に成形した高分子ポリマーであって、詳しくは、例えば、アクリル酸系の化合物、または天然増粘剤、カルボキシメチルセルロースナトリウム塩（ＣＭＣ）等によるセルロース系等の水溶性高分子物質を主成分としたゲル化剤であり、必要に応じて、安定剤や防腐剤等を加えてあって、成形においては、原料の粉末体９へ、所定粘度（ゲル状）を得るために水などの溶液１０を添加する。
【００２１】
更に、この吸熱体２は、図５および図８に示すように、該吸熱体２に可視性を失わない程度に着色させることもあるもので、慣用の着色剤１１を、粉末体９をゲル化するための溶液１０中に添加して充分に撹拌混合しておく。
この溶液１０をあらかじめ着色剤１１により着色１１ａしたものを、吸熱体２に含浸させる方法をとることで、該吸熱体２のゲル化に際する吸液スピードの差によって、着色された部分と着色されずに吸液された無色の部分との色むらの発生が防止される。
【００２２】
更にまた、この吸熱体２は、図６および図８に示すように、この内部に装飾物１２を混在させることもあるもので、この装飾物１２は、ラメや小物等が用いられるもので、該吸熱体２の原料となる粉末体９中に、あらかじめ混合撹拌して用意しておく。
【００２３】
したがって、前記のように構成される本発明のノート型パソコン用吸熱具Ａおよびその製造方法の第一の実施例は、以下に述べる作用を奏する。
まず、内部を可視可能となる透過性を有するプラスチックシート部材３と、このプラスチックシート部材３の他側において設けたアルミ箔シート部材４とを重ね合わせ、これらプラスチックシート部材３とアルミ箔シート部材４との周縁部を、ヒートシールによる密封部５を設けて密着させ包装体１を形成する。
【００２４】
そして、図７（ａ）に示すように、この包装体１の一方に開口させた開口部８より、吸熱体２の原料である高分子ポリマーの粉末体９を定められた量に計量して充填し、図７（ｂ）に示すように、包装体１の長手方向を立てて開口部８を上向きとした該包装体１の底部に前記粉末体９を位置させる。
この粉末体９入りの包装体１内へ、図７（ｂ），（ｃ）に示すように、粉末体１をゲル化させるための溶液１０を定められた量に計量して充填させる。
この状態で、粉末体９は溶液１０に触れ、該溶液１０を含浸してその膨潤を開始する。
【００２５】
したがって、急いで、図７（ｄ）に示すように、プレス機等の押圧手段１４により、包装体１内の粉末体９と溶液１０との非充填部に対応させて、包装体１内に存在する空気を除く（脱気）と共に、包装体１の開口部８におけるヒートシール位置まで溶液１０の水位を押し上げ、図７（ｅ）に示すように、開口部８を慣用のヒートシール機１５によりヒートシールして密封部５を設ける。
この開口部８のヒートシールにあっては、溶液１０の水位を密封部５付近まで押し上げることで、包装体１内の残留空気が開口部８から外部へ追い出され、包装体１内に空気が残らない効果を発揮する。
また、吸熱体２がまだゲル化しない状態で、前記脱気操作およびヒートシールによる密封操作を行うため、一層、包装体１内に空気が残らないと共に、膨潤した吸熱体２内の空気が気泡として残らないので、外観的体裁が良好となる。
更に、ヒートシールによる密封部５には、膨潤化した吸熱体２等の夾雑物がないので、包装体１におけるヒートシール強度が失われない。
【００２６】
これにより、数分後に、包装体１内の粉末体９は溶液１０の全てを含浸して充分に膨潤し、図７（ｆ）に示すように、吸熱体２が成形されるもので、この包装体１内および吸熱体２内には、空気が混入しない外観的に良好な透明性を有するノート型パソコン用吸熱具Ａが成形される。
【００２７】
このノート型パソコン用吸熱具Ａを、そのアルミ箔シート部材４側を机やテーブル等の載置部へ向けて置き、図１および図２に示すように、該ノート型パソコン用吸熱具Ａのプラスチックシート部材３面（受熱面）へノート型パソコンｂの底部ｂ１を載置させる。
【００２８】
この状態で、ノート型パソコンｂを使用すると、次第にその電源部やＣＰＵ，モータ部等から熱が発生するもので、該熱は、ノート型パソコンｂの底部面ｂ１から受熱面であるプラスチックシート部材３面へ伝達され、更に、このプラスチックシート部材３から包装体１内部の吸熱体２へと伝導される。
この吸熱体２においては、ノート型パソコンｂからの熱を継続的に効率よく吸収しつつ、蓄熱すると共に、包装体１の裏面である排熱面となるアルミ箔シート部材４へこの吸熱体２から放熱する。
この排熱面にアルミ箔シート部材４を用いることで、通常のプラスチックフィルムによるシート構成に比べて、吸熱体２から放熱を吸収しやすく、結果、速やかに反応して、机等の載置面への放熱効果が向上する。
【００２９】
したがって、使用にあって、ノート型パソコンｂは、前記発生する熱による性能や効率の低下を来すことなく、良好な使用感が得られる。
【００３０】
また、プラスチックシート部材３を受熱面とすることにより、ノート型パソコン用吸熱具Ａに柔軟性が発揮され、受熱面にアルミ箔シート部材４を用いた場合と比べて、ノート型パソコンｂの底部面ｂ１に対する密着性や馴染み性が発揮されるので、一層、熱伝導性が向上し、吸熱体２に対する大きな吸熱性が発揮される。
【００３１】
また、包装体１におけるアルミ箔シート部材４の内面適所に、表示物４７を設けることにより、このノート型パソコン用吸熱具Ａの外部よりプラスチックシート部材３およびアルミ箔シート部材４を介して、この表示物７を可視することができて、ノート型パソコン用吸熱具Ａ自体の趣が高騰すると共に、意匠表現としての価値が向上する。
【００３２】
次に、ノート型パソコン用吸熱具Ａの吸熱体２に着色を施し、かつ、装飾物１２を混在させた例を説明する（第二実施例）。
この例にあっては、前記した第一実施例において、包装体１に粉末体９を充填する工程と包装体１に溶液１０を充填する工程が異なるもので、これら工程のみを説明し、他の工程は同様の作用をなる前記した第一実施例の説明を援用し省略する。
あらかじめ、粉末体９にはラメ等の装飾物１２を混合して、充分かつ万遍なく粉末体９の全体に該装飾物１２が行き渡るように撹拌しておく。この装飾物１２は粉末体９が微粒子となっていて流動性がよく、かつ、水分含有量が極めて少ない状態であるため、粉末体９の全体に対して万遍なく混ざる。
また、溶液１０内には、適量の着色剤１１を添加して万遍なく掻き混ぜて色むらがないように準備しておく。
【００３３】
そして、あらかじめ成形された包装体１を縦向きに立ててこの包装体１の開口部８より、図８（ａ）に示すように、装飾物１２が混ざった吸熱体２の原料である高分子ポリマーの粉末体９を、定められた量に計量して充填し、図８（ｂ）に示すように、該包装体１の底部に位置させる。
この粉末体９入りの包装体１内へ、図８（ｂ），（ｃ）に示すように、粉末体１をゲル化させるための着色剤１１入りの溶液１０を定められた量に計量して充填させる。
この状態で、粉末体９は溶液１０に触れてこの溶液１０を含浸し、その膨潤が開始されると共に、この膨潤しつつある粉粒体９に着色剤１１の色彩が付き始める。
【００３４】
したがって、前記した第一実施例に示すように、急いで、図８（ｄ）に示すように、プレス機等の押圧手段１４により、包装体１内に存在する空気を除く（脱気）と共に、包装体１の開口部８におけるヒートシール位置まで溶液１０の水位を押し上げ、図８（ｅ）に示すように、開口部８を慣用のヒートシール機１５によりヒートシールして密封部５を設けると、図８（ｆ）に示すように、ノート型パソコン用吸熱具Ａが成形される。
【００３５】
このノート型パソコン用吸熱具Ａは、吸熱体２を着色することで、可透性を有するプラスチックシート部材３を介してカラフルとなった吸熱体２を可視することができて、利用者に対してその使用感を高揚させることができる。
【００３６】
このノート型パソコン用吸熱具Ａは、吸熱体２に装飾物１２を混在させることで、可透性を有するプラスチックシート部材３を介して、該吸熱体２にちりばめられたこのデザイン化された装飾物１２を視覚により楽しむことができ、使用による趣が向上する。
【００３７】
特に、着色剤１１を先に溶液１０内へ充分に混合させた状態で粉粒体９へ混入させたため、吸熱体２のゲル化に際する吸液スピードの差によって、着色された部分と着色されずに吸液された無色の部分との色むらの発生が防止される。
【００３８】
また、装飾物１２をあらかじめ粉粒体９内へ混入させ、充分に撹拌混合させた状態で包装体１内へ充填した上で、溶液１０を注入するため、例えば、ラメ等の軽量な装飾物１２を用いた場合にあっても、この溶液１０表面への装飾物１２の浮遊が少なく、あるいは、粉粒体９内へ固まった状態で存在することが無く、吸熱体２となったとき均一な散らばりとなる。
また、溶液１０表面への装飾物１２の浮遊に起因するヒートシール面への該装飾物１２の入り込みがなく、したがって、無用なシール不良を生じさせない。
【００３９】
【発明の効果】
前述のように構成される本発明は、ノート型パソコンから発生する熱を効率よく除去することができる。
一側面に可視し得るプラスチックシート部材を用いると共に、吸熱体を着色したり、この吸熱体内に装飾体を混在させたりすることで、視覚的効果が向上し、利用者に対してその使用感を高揚させることができる。
包装体内に空気を残留させることなく確実に密封包装することができるので、外観的な体裁が良好となる。
【図面の簡単な説明】
【図１】本発明に関するノート型パソコン用吸熱具の使用状態を示す斜視図である。
【図２】図１におけるノート型パソコン用吸熱具を示す断面図である。
【図３】図１におけるノート型パソコン用吸熱具の窓空き部を設けたプラスチックシート部材を用いた状態を示す正面図である。
【図４】図１におけるノート型パソコン用吸熱具を一部破断して示す正面図である。
【図５】図１におけるノート型パソコン用吸熱具の吸熱体の他の例を示す一部の断面図である。
【図６】図１におけるノート型パソコン用吸熱具の吸熱体の更に他の例を示す一部の断面図である。
【図７】本発明に関する第一実施例のノート型パソコン用吸熱具を製造する工程を示す説明図である。
【図８】本発明に関する第二実施例のノート型パソコン用吸熱具を製造する工程を示す説明図である。
【符号の説明】
Ａ…ノート型パソコン用吸熱具．ｂ…ノート型パソコン．ｂ１…底部面．１…包装体．２…吸熱体．３…プラスチックシート部材．４…アルミ箔シート部材．７…表示物．８…開口部．９…粉末体．１０…溶液．１１…着色剤．１２…装飾物．
【図１】
2004151943.tif 000003
【図２】
2004151943.tif 000004
【図３】
2004151943.tif 000005
【図４】
2004151943.tif 000006
【図５】
2004151943.tif 000007
【図６】
2004151943.tif 000008
【図７】
2004151943.tif 000009
【図８】
2004151943.tif 000010